(57)【要約】  【課題】  着座者の体格の如何に拘らず前方視界を十分に確保できるとともに、通路部分における退避スペースの確保を容易とした椅子の配列構造を提案する。  【解決手段】前後方向及び左右方向のそれぞれに椅子が多列配置されたものにおいて、該椅子２，２，・・を、左右方向において、前側横列Ｐｆに属する各椅子２，（２），・・の中間位置に、後側横列Ｐｒに属する各椅子２，２，・・が位置するように配置する。係る構成とすることで、常に後席着座者は、前席着座者の中間に位置し、該位置から前方を臨むことができ、例えば、前席着座者の体格が大きく、後席着座者の体格が小さくても、係る体格の相違に影響されることなく、常に後席着座者の前方視界が確保される。さらに、前側横列Ｐｆの側端に位置する椅子２と後側横列Ｐｒの側端に位置する椅子２の間における左右方向のズレによって、退避スペースとして機能する遊休スペースＳが形成されることで、上記通路３を通しての人の移動が容易ならしめられる。【選択図】        図１
2009057792.tif 000002
【特許請求の範囲】
【請求項１】
所定間隔で前後方向及び左右方向のそれぞれに椅子（２），（２），・・が多列配置された椅子の配列構造であって、
上記椅子（２），（２），・・が、左右方向において、前側横列（Ｐｆ）に属する各椅子（２），（２），・・の中間位置に、後側横列（Ｐｒ）に属する各椅子（２），（２），・・が位置するように配置されていることを特徴とする椅子の配列構造。
【発明の詳細な説明】
【技術分野】
【０００１】
本発明は、例えば、劇場等のように、多数の椅子が前後左右の多列配置される場合における椅子の配列構造に関するものである。
【背景技術】
【０００２】
一般に、劇場等の多人数が一堂に会して着座する場所においては、椅子を設置する床面を前方下がりの傾斜面とし、この床面上に多数の椅子を配列するのが通例である（例えば、特許文献１参照）。
【０００３】
このように椅子を設置する床面を前方下がりの傾斜面としたのは、前席と後席の高さを異ならせることで、前席に着座した人の体が邪魔になって後席に着座した人の前方視界が妨げられるのを回避するためである。
【０００４】
【特許文献１】特開２００４−２９３０７９号公報。
【発明の開示】
【発明が解決しようとする課題】
【０００５】
このような従来一般的な椅子の配列構造を図３及び図４に示している。ここで、椅子２が設置される床面１は、水平線Ｌ０に対して所定角度だけ前傾した傾斜線Ｌ１に沿った傾斜面とされ、この傾斜面で構成される床面１上に、多数の椅子２，２，・・が、縦横に多列設置されている。
【０００６】
この場合、図４に示すように、前側横列Ｐｆに属する各椅子２，２，・・と後側横列Ｐｒに属する各椅子２，２，・・は、全て前後方向に延びる同一の直線Ｌｐ上に位置するように設置されるのが通例である。
【０００７】
このような前後方向における椅子同士の重なりは、上述のように床面１を前下がりの傾斜面として、前席よりも後席の高さを高くすることで、ある程度は解消できる。即ち、前席着座者による後席着座者の前方視界の阻害防止を、椅子の設置高さの調整によって実現するものである。
【０００８】
ところが、係る椅子の配列構造は、一般的な基準、即ち、着座者の体格が同じであることを前提とする基準に基づくものであるため、係る一般的な基準から逸脱するような状態が生じた場合、例えば、前席着座者の体格が大きく、後席着座者の体格が小さいような場合には、最早、前席と後席間の高さ調整のみでは解消できず、後席着座者は前席着座者の体によって前方視界が妨げられる、という事態も発生し得る。
【０００９】
一方、図４に示すように、通常、各横列の両側方には、建屋壁面４が位置し、該建屋壁面４と横列側端に位置する椅子２との間に、前後方向へ延びる通路３が設定されるが、この通路３の幅寸法は、限られたスペース内により多くの椅子２を設置するという観点から、比較的狭く設定されており、人の退避スペースは殆ど確保されていない。このため、例えば、この通路３を後方側へ移動する人と前方側へ移動する人がすれ違う場合とか、該通路３から横列の椅子２側へ人が出入りする場合等においては、その移動がスムーズに行なわれず、混雑を招来するという問題もあった。
【００１０】
そこで本発明では、着座者の体格の如何に拘らず前方視界を十分に確保できるとともに、通路部分における退避スペースの確保を容易とした椅子の配列構造を提案することを目的としてなされたものである。
【課題を解決するための手段】
【００１１】
本発明では、所定間隔で前後方向及び左右方向のそれぞれに椅子２，２，・・が多列配置された椅子の配列構造において、上記椅子２，２，・・を、左右方向において、前側横列Ｐｆに属する各椅子２，（２），・・の中間位置に、後側横列Ｐｒに属する各椅子２，２，・・が位置するように配置したことを特徴としている。
【発明の効果】
【００１２】
本願発明に係る椅子の配列構造によれば、常に後席着座者は、左右方向に隣接する二人の前席着座者の中間の後方に位置し、これら二人の前席着座者間の空隙部分を通して前方を臨むことになる。このため、例えば、前席着座者の体格が大きく、後席着座者の体格が小さくても、係る体格の相違に影響されることなく、常に後席着座者の前方視界が確保され、座席位置に拘らず着座者全員が良好な視界状態で前方を臨むことができる。
【００１３】
即ち、この発明は、座席の左右方向（横方向）への位置調整によって後席着座者の前方視界を確保するものであり、これに床面１を傾斜面とする高さ方向の位置調整による前方視界の確保作用を組み合わせることで、上記効果がより一層確実ならしめられる。
【００１４】
さらに、上記椅子２，２，・・を、左右方向において、前側横列Ｐｆに属する各椅子２，２，・・の中間位置に、後側横列Ｐｒに属する各椅子２，２，・・が位置するように配置したことで、前側横列Ｐｆの側端に位置する椅子２と後側横列Ｐｒの側端に位置する椅子２の間において左右方向に所定のズレ（即ち、椅子２，２，・・の設置間隔の略半分に相当するズレ）が生じ、このズレによってここに所定の遊休スペースが形成される。このため、例えば、各横列の側端のさらに外側に位置する部分を前後方向へ延びる通路として利用する場合、この通路の途中に上記遊休スペースが通路方向に所定間隔で点在し、該遊休スペースは上記通路を通って移動する人のすれ違い時とか、該通路から各横列の椅子２，２，・・側への出入り時における退避スペースとして機能することになり、それだけ上記通路を通しての人の移動が容易ならしめられる。
【発明を実施するための最良の形態】
【００１５】
以下、本発明を好適な実施形態に基づいて具体的に説明する。
【００１６】
図１及び図２には、例えば劇場用の椅子の配列を示しており、この配列に本発明の配列構造が適用されている。
【００１７】
即ち、水平線Ｌ０に対して所定角度だけ前傾した傾斜線Ｌ１に沿った傾斜面で構成される床面１上に、多数の椅子２，２，・・をそれぞれ所定間隔で縦横多列に設置している。この場合、図２に示すように、奇数の横列に属する各椅子２，２，・・は第１配列線Ｌｐ１上に位置し、偶数の横列に属する各椅子２，２，・・は第２配列線Ｌｐ２上に位置しており、且つこれら第１配列線Ｌｐ１と第２配列線Ｌｐ２の間隔ｈは、横列における椅子の配置間隔Ｈの略半分（Ｈ／２）に設定されている。
【００１８】
従って、この配列構造においては、全横列のうち、前後に位置する二つの横列のそれぞれについてみれば、前側横列Ｐｆに属する各椅子２，２，・・と後側横列Ｐｒに属する各椅子２，２，・・は、左右方向（横方向）に間隔ｈだけ偏位して配置されることになる。
【００１９】
このため、後列着座者Ｍｒは、常に左右方向に隣接する二人の前列着座者Ｍｆ，Ｍｆの中間に位置し、これら二人の間の空隙を通して前方へ臨むことになり、前列着座者Ｍｆの存在によって後列着座者Ｍｒの前方視界が阻害されるということはない。
【００２０】
この結果、椅子２の配置位置の如何に拘らず、後列着座者Ｍｒは前方の舞台の様子を良好な前方視界の下で見ることができる。また、例えば、前列着座者Ｍｆの体格が大きく、後列着座者Ｍｒの体格が小さいような場合であっても、この体格差に何等影響されることなく、後列着座者Ｍｒは前方の舞台の様子を良好な前方視界の下で見ることができる。
【００２１】
尚、このような椅子の配列構造を採用することで、例え上記床面１が水平面に近いような場合であっても、後列着座者Ｍｒの前方視界を確保することができるが、特にこの実施形態のように、上記床面１を前下がりの傾斜面として前側横列Ｐｆと後側横列Ｐｒの間に高さ方向の差をつけた場合には、上記効果がより一層顕著となる。
【００２２】
一方、図２に示すように、一般に劇場等の施設においては、左右の建屋壁面４，４間に観客スペースを設定し、この観客スペース内に上記各椅子２，２，・・を縦横に列設するようになっているが、その場合、上記建屋壁面４と各横列Ｐｆ，Ｐｒのそれぞれの側端に位置する椅子２，２，・・との間に、幅Ｗをもって前後方向へ延びるスペースを設け、ここを通路３として利用するようにしている。
【００２３】
この場合、この実施形態では、上記椅子２，２，・・を、左右方向において、前側横列Ｐｆに属する各椅子２，２，・・の中間位置に、後側横列Ｐｒに属する各椅子２，２，・・が位置するように配置したことで、前側横列Ｐｆの側端に位置する椅子２と後側横列Ｐｒの側端に位置する椅子２の間において左右方向に所定のズレ（即ち、椅子２，２，・・の設置間隔Ｈの略半分の寸法ｈに相当するズレ）が生じ、このズレによって、ここに所定の遊休スペースＳが形成される。
【００２４】
そして、この遊休スペースＳは、上記通路３の側縁に連続して且つ通路方向において所定間隔（即ち、各横列Ｐｆ，Ｐｒの前後方向における配置間隔の２倍の寸法）で点在することから、例えば、上記通路を通って移動する人のすれ違い時とか、該通路から各横列の椅子２，２，・・側への出入り時における退避スペースとして機能することになる。この結果、上記通路３の他に上記退避スペースが設けられたことで、上記通路３を通しての人の移動が容易となる。
【００２５】
尚、この実施形態では、各椅子２が単体構成の場合を例にとって説明しているが、本発明は係る構成に限定されるものではなく、例えば、複数の椅子２を一連に固定し、この一連構成の椅子を多数設置するような場合にも適用できることは勿論である。
【図面の簡単な説明】
【００２６】
【図１】本発明の実施形態に係る椅子の配列構造の適用例を示す斜視図である。
【図２】図１の平面図である。
【図３】従来の椅子の配列構造を示す斜視図である。
【図４】図３の平面図である。
【符号の説明】
【００２７】
１        ・・床面
２        ・・椅子
３        ・・通路
４        ・・建屋壁面
Ｐ        ・・椅子列
Ｓ        ・・遊休スペース（退避スペース）
Ｌｐ      ・・配列線
Ｌｐ１    ・・第１配列線
Ｌｐ２    ・・第２配列線
Ｍｆ    ・・前列着座者
Ｍｒ    ・・後列着座者
Ｐｆ      ・・前側横列
Ｐｒ      ・・後側横列
【図１】
2009057792.tif 000003
【図２】
2009057792.tif 000004
【図３】
2009057792.tif 000005
【図４】
2009057792.tif 000006